(57)【特許請求の範囲】
【請求項１】
一対の壁パネル間の天井面に取り付けられ該壁パネルに沿った左右方向を長手方向とする上横片と、該上横片の長手方向の両側端から垂下される垂下片と、からなり上横片から所定の隙間を隔てた下方の垂下片間に配線ボックスが固定される前後方向視門型に形成し、前記隙間の位置に対応する両垂下片間に保護金具を架設して成ることを特徴とする配線ボックスの固定部材。
【請求項２】
所定の隙間の位置に対応する両垂下片の前端縁間と両垂下片の後端縁間とにそれぞれ保護金具を架設し、保護金具を固定部材の前後方向の厚み内に収めて成ることを請求項１記載の特徴とする配線ボックスの固定部材。
【請求項３】
固定部材を前後に対称に形成して成ることを特徴とする請求項１又は２記載の配線ボックスの固定部材。
【請求項４】
保護金具を両側の側片と中間の保護片からなる平面視略コ字状に形成して、側片の内側に係合突起を突設し、固定部材の垂下片に、前端縁及び後端縁から中央側に伸びる横切欠と、横切欠の奥端から下方に伸びる縦切欠とからなり前記係合突起が係合する被係合部を形成して成ることを特徴とする請求項２又は３記載の配線ボックスの固定部材。
【請求項５】
固定部材の垂下片の上下方向の途中に、幅方向に亘って線状に形成される薄肉部からなる折り取り部を設けて成ることを特徴とする請求項１乃至４のいずれか一項に記載の配線ボックスの固定部材。
【発明の詳細な説明】
【技術分野】
【０００１】
本発明は、天井面に沿って配線されたフラットケーブルを引き込むため壁に埋込配設される配線ボックスの固定部材に関するものである。
【背景技術】
【０００２】
近年、壁に埋込配設され、天井面に設けた照明器具からのフラットケーブルが接続される端子台を収納する、前方に開口した配線ボックスが利用されている（例えば特許文献１参照）。
【０００３】
図５に示すように、配線ボックス３は、前方に開口する略矩形箱状に形成してあり、一対の壁パネル４１を離間して構成される壁４の一方の壁パネル４１に形成した開口４０を介して内部が露出するように、アンカーＡを配線ボックス３の上壁部を介して天井面５に打ち込んで固定している。フラットケーブル５３は、天井面５に沿って壁４まで配設すると共に、壁パネル４１の上端と天井面５との隙間から壁４内に引き込んで、端部を配線ボックス３内に収納した端子台３３に接続している。
【０００４】
そして、壁パネル４１に形成した開口４０の前方から化粧プレート６を取り付けて開口４０を閉塞してある。図中の符号５４はフラットケーブル５３を保護する保護シートを示す。
【０００５】
この場合、配線ボックス３を天井面５に固定していて、開口４０を壁パネル４１の上端部近傍に形成する必要があるが、壁パネル４１は石膏ボードを用いたものが多く、壁パネル４１の開口４０の上側の上下幅が狭くなる部分に割れが生じ易いものであった。
【特許文献１】特開２００２−１５７９１号公報
【発明の開示】
【発明が解決しようとする課題】
【０００６】
そこで、壁パネル４１に形成する開口４０を上記のものより下げるべく、配線ボックス３を天井面５から下方に離して設けたものが考えられた。このものは、図６に示すように、天井面５に正面視略逆Ｌ字状をした固定部材１’二個を固定し、この固定部材１’に配線ボックス３の両側の側壁部を固定していた。図中の符号４２は、壁パネル４１間の天井面５に設けられる木製の頭つなぎを示す。
【０００７】
しかしながら、二個の固定部材１’を用いて配線ボックス３を固定しているため、固定部材１’の互いの位置がずれると、配線ボックス３の所定の取り付けができず、配線ボックス３が傾いたりしてしまうものであった。
【０００８】
またこの場合、図７に示すように配線ボックス３の上側に天井面５との間に隙間５５ができて、壁パネル４１の裏側において天井面５から配線ボックス３内にかけて前記隙間５５を跨ぐようにフラットケーブル５３が配設されるが、この部分はフラットケーブル５３は配線ボックス３内に収納されていない。このため、内装業者が壁パネル４１を頭つなぎ４２に固定するため壁パネル４１の上端部に釘Ｋを打ち込んだ際に、フラットケーブル５３を打ち抜いてしまう惧れがあった。図中の符号５１は引掛けローゼットを示す。
【０００９】
また、上記のようにフラットケーブル５３が打ち抜かれるのを防止するため、図８、図９に示すように配線ボックス３の上側の天井面５との間の隙間５５部分に保護金具２’を取り付けようとすると、壁パネル４１間の上端部の天井面５に沿った部分に設けてある頭つなぎ４２の前面に釘Ｋを打ち込んで取り付ける必要があり、壁パネル４１間の距離Ｌ’が長くなってしまったり、内装業者に保護金具２’を取り外されてしまったりするものであった。
【００１０】
また、図６、図８に示すように配線ボックス３の側壁部３１の外側に固定部材１’が位置しているため、配線ボックス３の側壁部３１を通して配線を行うことができないものであった。
【００１１】
本発明は上記事情に鑑みてなされたものであり、その目的とするところは、天井面に二個の吊下げ部材を固定して、この吊下げ部材に配線ボックスの両側の側壁部をそれぞれ固定することにより配線ボックスが傾いたり、また壁パネルの配線ボックスの上側の部分に釘を打ち込んだ際に壁パネルの裏側に配設されるフラットケーブルが打ち抜かれてしまう惧れのない配線ボックスの固定部材を提供することにある。
【課題を解決するための手段】
【００１２】
上記課題を解決するために請求項１に係る発明にあっては、一対の壁パネル４１間の天井面５に取り付けられ該壁パネル４１に沿った左右方向ＲＬを長手方向とする上横片１１と、該上横片１１の長手方向の両側端から垂下される垂下片１２と、からなり上横片１１から所定の隙間５５を隔てた下方の垂下片１２間に配線ボックス３が固定される前後方向視門型に形成し、前記隙間５５の位置に対応する両垂下片１２間に保護金具２を架設して成ることを特徴とするものである。
【００１３】
このように、門型をした一体の固定部材１を天井面５に取り付けるものであるため、固定部材１の両垂下片１２間の距離Ｌが常に一定となり、両垂下片１２間への配線ボックス３の取り付けを容易に行うことが可能となって施工性が向上し、剛性が高いため配線ボックス３を安定して固定することができる。
【００１４】
また、請求項２に係る発明にあっては、請求項１に係る発明において、所定の隙間５５の位置に対応する両垂下片１２の前端縁１２ａ間と両垂下片１２の後端縁１２ｂ間とにそれぞれ保護金具２を架設し、保護金具２を固定部材１の前後方向の厚み内に収めて成ることを特徴とするものである。
【００１５】
このような構成とすることで、保護金具２を含む固定部材１の厚みが厚くなって、壁パネル４１間に収まらなかったり壁パネル４１間の距離Ｌが長くなってしまうのを防止することができる。
【００１６】
また、請求項３に係る発明にあっては、請求項１又は２に係る発明において、固定部材１を前後に対称に形成して成ることを特徴とするものである。
【００１７】
このような構成とすることで、壁パネル４１間の天井面５に取り付けるにあたって、いずれの向きでも取り付けられて施工性が向上するものである。
【００１８】
また、請求項４に係る発明にあっては、請求項２又は３に係る発明において、保護金具２を両側の側片２１と中間の保護片２２からなる平面視略コ字状に形成して、側片２１の内側に係合突起２３を突設し、固定部材１の垂下片１２に、前端縁１２ａ及び後端縁１２ｂから中央側に伸びる横切欠１５ａと、横切欠１５ａの奥端から下方に伸びる縦切欠１５ｂとからなり前記係合突起２３が係合する被係合部１５を形成して成ることを特徴とするものである。
【００１９】
このような構成とすることで、別の固着部材を必要とせず、簡単な構成で容易に取り付けることが可能となる。
【００２０】
また、請求項５に係る発明にあっては、請求項１乃至４のいずれか一項に係る発明において、固定部材１の垂下片１２の上下方向の途中に、幅方向に亘って線状に形成される薄肉部からなる折り取り部１６を設けて成ることを特徴とするものである。
【００２１】
このような構成とすることで、折り取り部１６で垂下片１２の下側の部分を折り取って、配側壁部３１の下側の部分から配線ボックス３内の配線を導出することが可能となる。
【発明の効果】
【００２２】
本発明においては、固定部材の両垂下片間の距離が常に一定となって、両垂下片間への配線ボックスの取り付けを容易に行うことが可能となって施工性が向上し、剛性が高いため配線ボックスを安定して固定することができる。またこれにあたり、天井面と配線ボックスとの間に所定の隙間を形成するため、壁パネルに形成する開口の上側の部分の幅が狭くなって壁パネルに割れが生じるといったことを防止することができる。また、保護金具を設けたことで、壁パネルに釘を打ち込もうとしても天井面と配線ボックスとの間の隙間に釘が打ち込まれてフラットケーブルを損傷してしまうのが防止される。
【発明を実施するための最良の形態】
【００２３】
以下、本発明の実施形態について添付図面に基づいて説明する。
【００２４】
図１に示すように、配線ボックス３は、前方に開口する正面視略矩形の箱状をしたもので、壁４内に埋設される。配線ボックス３を埋設する壁４は、一対の石膏ボードからなる壁パネル４１を、天井面５に沿って壁４と同方向に設けてある木製の頭つなぎ４２を介して離間して配置することで構成してある。そして、一対の壁パネル４１のうち一方の壁パネル４１に開口４０を形成し、該開口４０と配線ボックス３の開口３０とが略連通するように、両壁パネル４１間の空間に配線ボックス３を固定するもので、これについては後述する。
【００２５】
天井面５には、引掛けローゼット５１が固定してあり（図７参照）、この引掛けローゼット５１に照明器具を引掛けて天井面５に取り付けてある。天井面５には、引掛けローゼット５１から壁４の上端部にかけてフラットケーブル５３が貼り付け固定してあると共に、壁パネル４１の上端と天井面５との隙間から壁４内に引き込んである。そして、フラットケーブル５３の端部は、配線ボックス３内に収納される端子台３３に接続される。また、天井面５に貼り付けたフラットケーブル５３を覆う保護シート５４を天井面５に貼り付けてある。
【００２６】
また、壁パネル４１に形成した開口４０の前方、すなわち該壁パネル４１の壁４外となる方に化粧プレート６を取り付けるものである（図５参照）。以下、便宜上、図１に示すように開口４０を形成した壁パネル４１の壁４外となる方を前方Ｆ、該壁パネル４１の壁４内となる方（もう一方の壁パネル４１の方）を後方Ｂとし、壁４に沿った水平方向を左右方向ＲＬとする。
【００２７】
配線ボックス３の固定部材１は、図２に示すように、壁４内、すなわち一対の壁パネル４１間の天井面５に固定されるもので、上横片１１と、該上横片１１の両側端から垂下される垂下片１２とからなる正面視略門型をした部材である。上横片１１は、固着具挿通孔１１ａにビス等の固着具を挿通して天井面５に固着して天井面５に固定される。上横片１１の左右方向ＲＬの長さは、配線ボックス３の左右方向ＲＬの長さと略同様となっており、その両側端から垂下片１２が垂下されている。垂下片１２は、上下方向の長さが配線ボックス３の上下方向の長さよりも長く形成してある。また、両垂下片１２間の距離Ｌは、配線ボックス３の左右方向ＲＬの長さと同じに形成してある。また、固定部材１及び配線ボックス３の前後方向の幅は一対の壁パネル４１間に収まる幅となっている。
【００２８】
固定部材１を固定する部分は、天井面５に沿って固定してある頭つなぎ４２を切除してあり、固定部材１の上横片１１を天井面５に固定することができる。
【００２９】
固定部材１の垂下片１２に、配線ボックス３の側壁部３１の外面を固定するもので、本実施形態では、固定部材１の垂下片１２に上下に長い長孔１３を貫通形成すると共に、配線ボックス３の側壁部３１に挿通孔３２を貫通形成してある。そして、ボルト７１を配線ボックス３の挿通孔３２に挿通させると共に固定部材１の長孔１３の任意の位置に挿通させて、ナット７２を締結することで、固定部材１に対して上下位置調整自在に配線ボックス３を固定することができる。
【００３０】
また配線ボックス３は、上下軸廻りに１８０°回転しても同様の形状となる線対称に形成してあり、壁パネル４１間の天井面５に取り付けるにあたって、いずれの向きでも取り付けられて施工性が良い。
【００３１】
背景技術で述べたように、配線ボックス３を天井面５に接するように設けようとすると、壁パネル４１に形成する開口４０を壁パネル４１の上端部に形成しなければならず、壁パネル４１の開口４０の上側の部分に割れが生じる惧れがあるため、通常は、天井面５から下方に若干離して配線ボックス３を設ける。この時、壁パネル４１裏において配線ボックス３と天井面５との間に形成される隙間５５をフラットケーブル５３が這うこととなるため、内装業者が壁パネル４１の上端部を介して頭つなぎ４２に釘Ｋを打ち込んだ際にフラットケーブル５３を打ち抜くのを防止するため、保護金具２を固定部材１に設けるものである。
【００３２】
保護金具２は、固定部材１の上端部において、垂下片１２間に架設するもので、上下幅を所定の長さに形成すると共に、左右方向ＲＬの長さを垂下片１２間の長さと略同様に形成してある。保護金具２の固定部材１への取り付けは、係合やビス留め等、様々な手段が挙げられる。
【００３３】
本実施形態では、保護金具２を両側の側片２１と中間の保護片２２からなる平面視で略コ字状に形成し、固定部材１の前後方向の両側からそれぞれ垂下片１２の前端縁１２ａと後端縁１２ｂとに取り付ける。保護金具２の側片２１の内側には係合突起２３が突設してあり、固定部材１の垂下片１２には、前端縁１２ａ及び後端縁１２ｂから垂下片１２内に伸びる横切欠１５ａと、横切欠１５ａの奥端から下方に伸びる縦切欠１５ｂとからなる被係合部１５が形成してある。保護金具２の係合突起２３を固定部材１の被係合部１５の横切欠１５ａに挿入して、保護金具２の側片２１を固定部材１の垂下片１２に被嵌し、保護金具２の係合突起２３を固定部材１の被係合部１５の縦切欠１５ｂに落とし込んで係合を行う。これにより、別の固着部材を必要とせず、簡単な構成でしかも容易に取り付けることができる。
【００３４】
保護金具２は、固定部材１に取り付けた時に、頭つなぎ４２が本来ある部分に位置するもので、これにより内装業者が頭つなぎ４２に釘Ｋを打ち込むため壁パネル４１の配線ボックス３の上側に釘Ｋを打ち込もうとしても、保護金具２によってフラットケーブル５３に打ち込んでしまうのを防止することができる。
【００３５】
また保護金具２は、固定部材１に係合させた際に、固定部材１の前後方向の厚み内に収まるもので、本実施形態では、固定部材１の垂下片１２の前後方向の端縁をそれぞれ上横片１１の前後方向の端縁よりも保護金具２の厚み分だけ凹み１４を形成してあり、この凹み１４に保護金具２が収容されて、固定部材１の厚み内に収まっている。
【００３６】
このようにすることで、保護金具２を含む固定部材１の厚みが厚くなって、壁パネル４１間に収まらなかったり壁パネル４１間の距離Ｌが長くなってしまうのを防止することができる。
【００３７】
上記構成によれば、門型をした一体の固定部材１を天井面５に取り付けるため、固定部材１の両垂下片１２間の距離Ｌが常に一定となり、従来例のように二個の固定部材１’の互いの位置がずれたりすることがなく、両垂下片１２間への配線ボックス３の取り付けを容易に行うことが可能となって施工性が向上し、剛性が高いため配線ボックス３を安定して固定することができる。
【００３８】
また、保護金具２を設けたことで、壁パネル４１に釘Ｋを打ち込もうとしても天井面５と配線ボックス３との間の隙間５５に釘Ｋが打ち込まれてフラットケーブル５３を損傷してしまうのが防止される。
【００３９】
また、本実施形態においては、固定部材１の垂下片１２の上下方向の途中に、幅方向に亘って線状に形成される薄肉部からなる折り取り部１６を設けてある。
【００４０】
折り取り部１６で垂下片１２の下側の部分を折り取ることで、配線ボックス３の側壁部３１の下側の部分が露出することとなり、側壁部３１の下側の部分に形成したノックアウト部（図示せず）を利用して配線ボックス３内からの配線を垂下片１２と干渉せずに導出することが可能となる。
【図面の簡単な説明】
【００４１】
【図１】本発明の一実施形態の配線ボックスを固定した固定部材を天井面に取り付けた状態を示す下方より見た斜視図である。
【図２】同上の固定部材を示し、（ａ）は正面図であり、（ｂ）は平面図であり、（ｃ）は配線ボックスの取り付け位置を示す正面図である。
【図３】同上の固定部材と保護金具の側面図である。
【図４】同上の他使用例の下方より見た斜視図である。
【図５】従来例を示し、（ａ）は正面図であり、（ｂ）は側断面図である。
【図６】他の従来例の正面図である。
【図７】同上の従来例の側断面図である。
【図８】更に他の従来例の正面図である。
【図９】同上の従来例の側断面図である。
【符号の説明】
【００４２】
１      固定部材
１１    上横片
１１ａ  固着具挿通孔
１２    垂下片
１２ａ  前端縁
１２ｂ  後端縁
１３    長孔
１４    凹み
１５    被係合部
１５ａ  横切欠
１５ｂ  縦切欠
２      保護金具
２１    側片
２２    保護片
２３    係合突起
３      配線ボックス
３０    開口
３１    側壁部
３２    挿通孔
４      壁
４０    開口
４１    壁パネル
４２    頭つなぎ
５      天井面
５１    ローゼット
５３    フラットケーブル
５４    保護シート
５５    隙間
６      化粧プレート
７１    ボルト
７２    ナット
Ｂ      後方
Ｆ      前方
Ｋ      釘
Ｌ      距離
ＲＬ    左右方向
【図１】
0005044460.tif 000002
【図２】
0005044460.tif 000003
【図３】
0005044460.tif 000004
【図４】
0005044460.tif 000005
【図５】
0005044460.tif 000006
【図６】
0005044460.tif 000007
【図７】
0005044460.tif 000008
【図８】
0005044460.tif 000009
【図９】
0005044460.tif 000010